(57)【要約】【課題】着脱可能な蓋を持上げることができる持上器、および蓋を容易に開けることができ、蓋で密封される容器の着脱が可能な収容具を提供する。【解決手段】収容具１Ａは、第１のホルダ２と、第１のホルダ２と対向して配置され、第１のホルダ２に第１のホルダ２との対向距離が変動可能に取付けられた第２のホルダと、容器部２２と、第１のホルダ２と第２のホルダとに挟持された蓋部２３と、容器部２２を着脱可能に支持する支持部を備える。第１のホルダ２と第２のホルダの前方の縁部が後方の縁部を軸として上下方向に揺動して、蓋部２３を開閉する。第１のホルダ２と第２のホルダとの対向距離を大きくして、蓋部２３を取外すことができる。【選択図】図５
2014136635.tif 000002
【特許請求の範囲】
【請求項１】
第１の挟持部と、
該第１の挟持部と対向して配置され、同第１の挟持部に同第１の挟持部との対向距離が変動可能に取付けられた第２の挟持部と、
前記第１の挟持部および前記第２の挟持部それぞれの少なくとも一部を昇降させる昇降部とを備える
持上器。
【請求項２】
前記第１の挟持部および前記第２の挟持部は、一方の縁部を軸として同縁部に対向する他方の縁部が上下方向に揺動可能に構成された
請求項１に記載の持上器。
【請求項３】
前記第１の挟持部および前記第２の挟持部は、他方の縁部が屈曲された屈曲部を有する
請求項２に記載の持上器。
【請求項４】
前記第１の挟持部および前記第２の挟持部は、他方の縁部に設けられた分岐片を有する
請求項２または請求項３に記載の持上器。
【請求項５】
前記昇降部は、上端が前記第１の挟持部もしくは前記第２の挟持部に取付けられた略鉛直な昇降棒と、該昇降棒の下端に一端が取付けられ、略中央部を軸として両端が上下方向に揺動可能なペダル部とを有する
請求項１〜４のいずれか１つに記載の持上器。
【請求項６】
前記昇降棒が上昇するときに同昇降棒に与える抵抗力よりも大きい抵抗力を、同昇降棒が下降するときに同昇降棒に与えるダンパー部を備える
請求項５に記載の持上器。
【請求項７】
前記第２の挟持部は、前記第１の挟持部にネジボルトで取付けられた
請求項１〜６のいずれか１つに記載の持上器。
【請求項８】
第１の挟持部と、
該第１の挟持部と対向して配置され、同第１の挟持部に同第１の挟持部との対向距離が変動可能に取付けられた第２の挟持部と、
前記第１の挟持部および前記第２の挟持部それぞれの少なくとも一部を昇降させる昇降部と、
容器部と、
該容器部に着脱可能に取付けられ、前記第１の挟持部と前記第２の挟持部とに挟持された蓋部と、
前記容器部を着脱可能に支持する支持部とを備える
収容具。
【発明の詳細な説明】
【技術分野】
【０００１】
本発明は持上器および収容具に関する。詳しくは、例えば蓋を持上げる持上器、および例えば医療廃棄物を収容する収容具に係るものである。
【背景技術】
【０００２】
ゴミ箱は、役に立たなくなってしまった不要なゴミを一時的に収容しておく容器であり、開口部が大きいもの、蓋付きのものなど様々な形態のものがある。
【０００３】
また、蓋付きのゴミ箱には、板状の蓋の両側に回転軸が付いて蓋が反転するスイング式のゴミ箱や、衛生面を考慮して手で蓋を開けなくても足元のペダルを踏んで蓋が開くペダル式のゴミ箱などがある。
【０００４】
また、ペダル式のゴミ箱として、例えば特許文献１には、図８に示すようなゴミ箱が記載されている。すなわち、特許文献１に記載されたゴミ箱１００は、ゴミを収納する収納容器１１１と、この収納容器１１１の上端開口部１１１Ａに開閉自在に軸支された蓋体１１２と、この蓋体１１２を開閉動作させる開閉機構１１３とを備える。
【０００５】
また、蓋体１１２は、収納容器１１１の一端にヒンジ１１５で開閉可能に支持されている。
また、開閉機構１１３は、足踏みペダル１１８を有する。利用者が足踏みペダル１１８を足で踏むことにより蓋体１１２が開き、足踏みペダル１１８から足を離すと、蓋体１１２が自重で閉じようとする。
【先行技術文献】
【特許文献】
【０００６】
【特許文献１】特開２００４−１２３３２２号公報
【発明の概要】
【発明が解決しようとする課題】
【０００７】
ところで、手術などの医療行為に関係して排出される医療廃棄物は、感染症患者が保有する病原体と接触している可能性があり、感染症の汚染源となる可能性がある。従って、医療廃棄物は、感染防止のために、密封された容器に廃棄されて焼却処分される。
そして、特許文献１に記載されたゴミ箱を、医療廃棄物の廃棄のために使用することは不便であった。
【０００８】
なぜなら、特許文献１には、収納容器や蓋体と、開閉機構とが分離可能である点は何ら記載されていないので、医療廃棄物が入れられた収納容器を蓋で閉じて密封できたとしても、医療廃棄物を焼却処分するためには、開閉機構も一緒に、すなわちゴミ箱全体を焼却処分しなければならないからである。
【０００９】
本発明は、以上の点に鑑みて創案されたものであり、着脱可能な蓋を持上げることができる持上器、および蓋を容易に開けることができ、蓋で密封される容器の着脱が可能な収容具を提供することを目的とする。
【課題を解決するための手段】
【００１０】
上記の目的を達成するために、本発明の持上器は、第１の挟持部と、該第１の挟持部と対向して配置され、同第１の挟持部に同第１の挟持部との対向距離が変動可能に取付けられた第２の挟持部と、前記第１の挟持部および前記第２の挟持部それぞれの少なくとも一部を昇降させる昇降部とを備える。
【００１１】
ここで、第１の挟持部および、第１の挟持部と対向して配置され、第１の挟持部に第１の挟持部との対向距離が変動可能に取付けられた第２の挟持部によって、第１の挟持部と第２の挟持部との間の対向距離を拡げて、物体の少なくとも一部を第１の挟持部と第２の挟持部の間に入れたり、第１の挟持部と第２の挟持部の間から出したりすることができる。
【００１２】
また、第１の挟持部および、第１の挟持部と対向して配置され、第１の挟持部に第１の挟持部との対向距離が変動可能に取付けられた第２の挟持部によって、第１の挟持部と第２の挟持部との間の対向距離を縮めて、第１の挟持部と第２の挟持部の間に入れられた物体の少なくとも一部を挟むことができる。
【００１３】
また、第１の挟持部および第２の挟持部それぞれの少なくとも一部を昇降させる昇降部によって、物体の少なくとも一部を挟んだ第１の挟持部および第２の挟持部を昇降させることができる。
【００１４】
また、本発明の持上器において、第１の挟持部および第２の挟持部は、一方の縁部を軸として、この縁部に対向する他方の縁部が上下方向に揺動可能に構成されたものとすることができる。
【００１５】
この場合、第１の挟持部全体および第２の挟持部全体を昇降させるよりも、第１の挟持部および第２の挟持部に一部が挟まれた物体が上昇前に位置していた領域に、上方から接近しやすくなる。
【００１６】
また、本発明の持上器において、第１の挟持部および第２の挟持部は、他方の縁部が屈曲された屈曲部を有するものとすることができる。
【００１７】
この場合、挟まれる物体の表面に凹凸が形成されていても、屈曲部が凹凸に適合して、第１の挟持部および第２の挟持部は物体をしっかり挟むことができる。
【００１８】
また、本発明の持上器において、第１の挟持部および第２の挟持部が、他方の縁部に設けられた分岐片を有する場合、挟まれる物体の表面に凸部が形成されていても、分岐片と分岐片の間に凸部が嵌り、第１の挟持部および第２の挟持部は物体の一部をしっかり挟むことができる。
【００１９】
また、本発明の持上器において、昇降部は、上端が第１の挟持部もしくは第２の挟持部に取付けられた略鉛直な昇降棒と、昇降棒の下端に一端が取付けられ、略中央部を軸として両端が上下方向に揺動可能なペダル部とを有するものとすることができる。
【００２０】
この場合、ペダル部の他端を足で踏むことで他端が下方に動き、その結果、ペダル部の一端が上方に動くので、昇降棒が上昇し、昇降棒の上昇によって、物体を挟んだ第１の挟持部および第２の挟持部を上昇させることができる。
また、この場合、ペダル部の他端から足を離すことで、ペダル部の一端に取付けられた昇降棒の自重や昇降棒に取付けられた第１の挟持部もしくは第２の挟持部の自重によって、ペダル部の一端が下方に動き、その結果、昇降棒が下降し、昇降棒の下降に伴い、物体を挟んだ第１の挟持部および第２の挟持部を下降させることができる。
【００２１】
また、本発明の持上器は、昇降棒が上昇するときに昇降棒に与える抵抗力よりも大きい抵抗力を、昇降棒が下降するときに昇降棒に与えるダンパー部を備えるものとすることができる。
【００２２】
この場合、昇降棒をゆっくりと下降させることができる。
【００２３】
また、本発明の持上器において、第２の挟持部が、第１の挟持部にネジボルトで取付けられた場合、ネジボルトを締め付けたり緩めたりするだけで、対向距離を変動することができる。
【００２４】
また、上記の目的を達成するために、本発明の収容具は、第１の挟持部と、該第１の挟持部と対向して配置され、同第１の挟持部に同第１の挟持部との対向距離が変動可能に取付けられた第２の挟持部と、前記第１の挟持部および前記第２の挟持部それぞれの少なくとも一部を昇降させる昇降部と、容器部と、該容器部に着脱可能に取付けられ、前記第１の挟持部と前記第２の挟持部とに挟持された蓋部と、前記容器部を着脱可能に支持する支持部とを備える。
【００２５】
ここで、第１の挟持部および、第１の挟持部と対向して配置され、第１の挟持部に第１の挟持部との対向距離が変動可能に取付けられた第２の挟持部によって、第１の挟持部と第２の挟持部との間の対向距離を拡げて、蓋部の少なくとも一部を第１の挟持部と第２の挟持部の間に入れたり、第１の挟持部と第２の挟持部の間から出したりすることができる。
【００２６】
また、第１の挟持部および、第１の挟持部と対向して配置され、第１の挟持部に第１の挟持部との対向距離が変動可能に取付けられた第２の挟持部によって、第１の挟持部と第２の挟持部との間の対向距離を縮めて、第１の挟持部と第２の挟持部の間に入れられた蓋部の少なくとも一部を挟むことができる。
【００２７】
また、第１の挟持部および第２の挟持部それぞれの少なくとも一部を昇降させる昇降部によって、蓋部の少なくとも一部を挟んだ第１の挟持部および第２の挟持部を昇降させることができる。
【００２８】
また、容器部を着脱可能に支持する支持部によって、容器部を支持部に支持させたり、支持部から離したりすることができる。
【発明の効果】
【００２９】
本発明に係る持上器は、着脱可能な蓋を持上げることができる。
本発明に係る収容具は、蓋を容易に開けることができ、蓋で密封される容器の着脱が可能である。
【図面の簡単な説明】
【００３０】
【図１】本発明を適用した持上器の一例を示す概略斜視図である。
【図２】本発明を適用した持上器の一例を示す概略側面図である。
【図３】本発明を適用した持上器の第１の形態の第１のホルダおよび第２のホルダの一例を示す概略拡大図である。
【図４】本発明を適用した持上器の第２の形態の第１のホルダおよび第２のホルダの一例を示す概略拡大図である。
【図５】本発明を適用した収容具の一例を示す概略斜視図である。
【図６】本発明を適用した収容具の第１の形態の第１のホルダおよび第２のホルダが蓋部を挟持した状態の一例を示す概略拡大図である。
【図７】本発明を適用した収容具の第３の形態の第１のホルダおよび第２のホルダが蓋部を挟持した状態の一例を示す概略拡大図（ａ）と、挟持を解除した状態の一例を示す概略拡大図（ｂ）である。
【図８】従来のペダル式ゴミ箱を示す概略斜視図である。
【発明を実施するための形態】
【００３１】
以下、本発明の実施の形態について図面を参照しながら説明し、本発明の理解に供する。
図１は、本発明を適用した持上器の一例を示す概略斜視図である。また、図２は、本発明を適用した持上器の一例を示す概略側面図である。また、図３は、本発明を適用した持上器の第１の形態の第１のホルダおよび第２のホルダの一例を示す概略拡大図である。
【００３２】
図１および図２に示す本発明の持上器１は、金属製で板状の第１のホルダ（第１の挟持部の一例である。）２を備える。
また、図１および図２に示す本発明の持上器１は、第１のホルダ２と対向して配置され、第１のホルダ２に第１のホルダ２との対向距離が変動可能にネジボルト１９で取付けられた、金属製で板状の第２のホルダ（第２の挟持部の一例である。）３を備える。
【００３３】
また、本発明の持上器１は、第１のホルダ２および第２のホルダ３それぞれの少なくとも一部を上昇させる昇降部４を備える。
すなわち、昇降部４は、上端が第１のホルダ２に取付けられた略鉛直な昇降棒４Ａと、昇降棒４Ａの下端に一端が取付けられ、略中央部を軸として両端が上下方向に揺動可能なペダル部４Ｂとを有する。
【００３４】
また、ペダル部４Ｂは、レバー４ＢＡと、レバー４ＢＡの一端に取付けられた踏板４ＢＢを有する。
また、レバー４ＢＡの略中央部は軸支台４ＢＣに支持されている。また、軸支台４ＢＣの第一軸４ＢＤを軸として、レバー４ＢＡの両端が上下方向に揺動する。
【００３５】
また、本発明の持上器１は、床面に接する前方脚部５と、前方脚部５に対して略平行に配置され床面に接する後方脚部６とを備える。
また、本発明の持上器１は、前方脚部５と後方脚部６との間に配置され、かつ両端がそれぞれ前方脚部５と後方脚部６に接合された連結部７を備える。
また、軸支台４ＢＣは、連結部７の略中央部に設置されている。
【００３６】
また、本発明の持上器１は、前方脚部５の一方の端部から他方の端部側に向けて斜め上方に伸びた第１の前方枠部８と、前方脚部５の他方の端部から一方の端部側に向けて斜め上方に伸びた第２の前方枠部９とを備える。
また、図１および図２から明らかなように、前方脚部５、第１の前方枠部８、および第２の前方枠部９は、互いに同一の略鉛直面内に位置する。
【００３７】
また、本発明の持上器１は、略水平面における形状が略四角形である、略水平に配置された容器ガイド部１０を備える。また、容器ガイド部１０は、図１に示すように、棒部材で構成されており、開口領域１０Ａを形成する。
また、図１に示すように、容器ガイド部１０は、第１の前方枠部８の上端および第２の前方枠部９の上端と連結している。
また、図１に示すように、第１の前方枠部８と第２の前方枠部９は、互いに離れている。
【００３８】
また、本発明の持上器１は、後方脚部６の一方の端部から他方の端部側に向けて、かつ前方に向けて斜め上方に伸びた後、略鉛直上方に伸びた第１の背部１１を備える。また、本発明の持上器１は、後方脚部６の他方の端部から一方の端部側に向けて、かつ前方に向けて斜め上方に伸びた後、略鉛直上方に伸びた第２の背部１２とを備える。
また、図１に示すように、第１の背部１１と第２の背部１２は、互いに離れている。
【００３９】
また、本発明の持上器１は、昇降棒が上昇するときに昇降棒に与える抵抗力よりも大きい抵抗力を、昇降棒が下降するときに昇降棒に与えるダンパー部１３を備える。また、図１に示すように、ダンパー部１３は、第１の背部１１の略鉛直領域と第２の背部１２の略鉛直領域の間に架け渡されている。
【００４０】
また、図１および図２から明らかなように、第１の背部１１の略鉛直領域および第２の背部１２の略鉛直領域は、互いに同一の略鉛直面内に位置する。
また、図２に示すように、昇降棒４Ａは、第１の背部１１の略鉛直領域（および第２の背部１２の略鉛直領域）よりも後方に位置しており、ダンパー部１３と接している。
【００４１】
また、本発明の持上器１は、第１の前方枠部８と第１の背部１１の略鉛直領域との間に略水平に配置され、かつ両端がそれぞれ第１の前方枠部８と第１の背部１１の略鉛直領域に接合された第１の容器支持部１４を備える。
また、本発明の持上げ器１は、第２の前方枠部９と第２の背部１２の略鉛直領域との間に略水平に配置され、かつ両端がそれぞれ第２の前方枠部９と第２の背部１２の略鉛直領域に接合された第２の容器支持部１５を備える。
【００４２】
また、本発明の持上器１は、第１の背部１１および第２の背部１２の上端に取付けられた箱型のホルダ支持部１６を備える。
また、ホルダ支持部１６は、４つの壁板で構成されている。すなわち、対向する前後の壁板１６Ａと、対向する左右の壁板１６Ｂである。
また、図３から判るように、ホルダ支持部１６の上部および下部は開放されている。
【００４３】
また、図３に示すように、左右の壁板１６Ｂの間に、第二軸１７が架け渡されている。
【００４４】
また、第１のホルダ２は、第２のホルダ３に対向する側とは反対側に突出した３つの突出片を有する。すなわち、第１のホルダ２の略中央部から突出した中央突出片２Ａと、第１のホルダ２の左右の縁部からそれぞれ突出した第１の左右突出片２Ｂである。
【００４５】
また、昇降棒４Ａの上端は、第三軸１８で中央突出片２Ａに回転可能に取付けられている。
【００４６】
また、第２のホルダ３は、第１のホルダ２に対向する側に突出した２つの突出片を有する。すなわち、第２のホルダ３の左右の縁部からそれぞれ突出した第２の左右突出片３Ａである。
【００４７】
また、第１のホルダ２は、前方の縁部が屈曲された第１の屈曲部２Ｃを有する。
また、第２のホルダ３も、前方の縁部が屈曲された第２の屈曲部３Ｂを有する。
【００４８】
また、第１の左右突出片２Ｂは、第１のホルダ２の後方の縁部近くに設けられている。
また、第１の左右突出片２Ｂは、第二軸１７に回転可能に取付けられている。これにより、第１のホルダ２は、後方の縁部を軸として揺動できる。すなわち、第１のホルダ２の前方の縁部である第１の屈曲部２Ｃは、後方の縁部を軸として上下方向に揺動することができる。
【００４９】
また、第２の左右突出片３Ａは、第２のホルダ３の後方の縁部近くに設けられている。
また、第２の左右突出片３Ａは、第１の左右突出片２Ｂと同様に、第二軸１７に回転可能に取付けられている。これにより、第２のホルダ３も、後方の縁部を軸として揺動できる。すなわち、第２のホルダ３の前方の縁部である第２の屈曲部３Ｂは、後方の縁部を軸として上下方向に揺動することができる。
【００５０】
ここで、左右の壁板の間に架け渡された第二軸に、第１の左右突出片や第２の左右突出片が取付けられているが、第１のホルダや第２のホルダが公報の縁部を軸として揺動できるのであれば、必ずしも、第１の左右突出片や第２の左右突出片が取付けられる軸は、左右の壁板の間に架け渡されていなくてもよい。
例えば、左の第二軸と右の第二軸とに分けることもできる。
【００５１】
また、本発明の持上器が、第１の挟持部と、第１の挟持部と対向して配置され、第１の挟持部に第１の挟持部との対向距離が変動可能に取付けられた第２の挟持部と、第１の挟持部および第２の挟持部それぞれの少なくとも一部を昇降させる昇降部とを備えるのであれば、必ずしも第１の挟持部および第２の挟持部は、後方（一方）の縁部を軸として、この縁部に対向する前方（他方）の縁部が上下方向に揺動可能に構成されていなくてもよい。
例えば、第１の挟持部全体および第２の挟持部全体を昇降させることもできる。
【００５２】
しかし、第１の挟持部および第２の挟持部が、一方の縁部を軸として、この縁部に対向する他方の縁部が上下方向に揺動可能に構成されていれば、第１の挟持部全体および第２の挟持部全体を昇降させるよりも、第１の挟持部および第２の挟持部に一部が挟まれた物体が上昇前に位置していた領域に、上方から接近しやすくなるので好ましい。
すなわち、例えばここで言う「物体」がゴミ箱の蓋であり、「上昇前に位置していた領域」がゴミ箱の開口部であれば、利用者は上から開口部にゴミを捨てやすい。
【００５３】
また、本発明の持上器が、第１の挟持部と、第１の挟持部と対向して配置され、第１の挟持部に第１の挟持部との対向距離が変動可能に取付けられた第２の挟持部と、第１の挟持部および第２の挟持部それぞれの少なくとも一部を昇降させる昇降部とを備えるのであれば、必ずしも第１の挟持部および第２の挟持部は、前方（他方）の縁部が屈曲された屈曲部を有していなくてもよい。
【００５４】
しかし、屈曲部があれば、挟まれる物体例えば蓋の表面に凹凸が形成されていても、屈曲部が凹凸に適合して、第１の挟持部および第２の挟持部は蓋の一部例えば周縁部をしっかり挟むことができるので好ましい。
【００５５】
また、本発明の持上器が、第１の挟持部と、第１の挟持部と対向して配置され、第１の挟持部に第１の挟持部との対向距離が変動可能に取付けられた第２の挟持部と、第１の挟持部および第２の挟持部それぞれの少なくとも一部を昇降させる昇降部とを備えるのであれば、必ずしも昇降部は、昇降棒とペダル部を有していなくてもよい。
【００５６】
しかし、昇降棒とペダル部があれば、ペダル部の他端を足で踏むことで他端が下方に動き、その結果、ペダル部の一端が上方に動くので、昇降棒が上昇し、昇降棒の上昇によって、蓋の一部を挟んだ第１の挟持部および第２の挟持部を上昇させることができるので、手で蓋を開ける必要がなく便利である。
【００５７】
また、本発明の持上器が、第１の挟持部と、第１の挟持部と対向して配置され、第１の挟持部に第１の挟持部との対向距離が変動可能に取付けられた第２の挟持部と、第１の挟持部および第２の挟持部それぞれの少なくとも一部を昇降させる昇降部とを備えるのであれば、必ずしもダンパー部を備えていなくてもよい。
【００５８】
しかし、ダンパー部があれば、昇降棒をゆっくりと下降させることができる。すなわち、蓋の一部を挟んだ第１の挟持部および第２の挟持部をゆっくりと下降させることができる。その結果、蓋や、第１の挟持部や、第２の挟持部や、昇降棒などの自重による急降下で生じる、ゴミ箱と蓋との衝突を抑制することができ、好ましい。
【００５９】
図４は、本発明を適用した持上器の第２の形態の第１のホルダおよび第２のホルダの一例を示す概略拡大図である。
図４に示す第１のホルダ２０および第２のホルダ２１は、それぞれ前方の縁部に設けられた第１の分岐片２０Ａおよび第２の分岐片２１Ａを有する以外は、第１の形態の第１のホルダおよび第２のホルダと同じである。
【００６０】
図５は、本発明を適用した収容具の一例を示す概略斜視図である。また、図６は、本発明を適用した収容具の第１の形態の第１のホルダおよび第２のホルダが蓋部を挟持した状態の一例を示す概略拡大図である。
【００６１】
図５および図６に示す本発明の収容具１Ａは、第１のホルダ２と、第２のホルダ（図示せず。）と、昇降部（昇降棒４Ａとペダル部４Ｂ）と、ホルダ支持部１６とを備える。
また、本発明の収容具１Ａは、前方脚部５と、後方脚部６と、第１の前方枠部８と、第２の前方枠部９と、容器ガイド部１０とを備える。
【００６２】
また、本発明の収容具１Ａは、図５に示していないが、第１の背部と、第２の背部と、第１の容器支持部と、第２の容器支持部とを備える。
これら部材は、図１に示す持上器が備える部材と同じであり、すでにこれらの部材について説明したので、ここでは説明を省略する。
【００６３】
また、本発明の収容具１Ａは、医療廃棄物を収容するプラスチック製の容器部２２を備える。また、本発明の収容具１Ａは、容器部２２に着脱可能に取付けられる、第１のホルダ２と第２のホルダ（図示せず。）とに挟持されたプラスチック製の蓋部２３を備える。
【００６４】
図１と図５から判るように、本発明の収容具１Ａは、本発明の持上器１の容器ガイド部１０が形成する開口領域１０Ａに、上から容器部２２を通して、第１の容器支持部１４と第２の容器支持部１５に容器部２２を支持させ、蓋部２３を、第１のホルダ２と第２のホルダ３で挟持したものである。
【００６５】
逆に、容器部２２を上に持上げるだけで、容器部２２を取外すことができる。
また、ネジボルト１９を緩めて第１のホルダ２と第２のホルダ３との間の対向距離を大きくして蓋部２３を取外すことができる。
【００６６】
従って、本発明の収容具１Ａから取外した容器部２２に、本発明の収容具１Ａから取外した蓋部２３を取付けて、容器部２２に収容された医療廃棄物を密封し、蓋部２３付き容器部２２ごと、医療廃棄物を焼却処理できる。
【００６７】
また、図５は、蓋部２３の周縁部２３Ａを前方の縁部で挟持した第１のホルダ２と第２のホルダ（図示せず。）の前方の縁部が、第１のホルダ２と第２のホルダ（図示せず。）の後方の縁部を軸として上方へ上昇し、蓋部２３を開けた状態を示している。
【００６８】
また、図５から判るように、第１のホルダ２と第２のホルダ（図示せず。）は、容器部２２の上縁部２２Ａと略同じ高さに位置している。
従って、昇降棒４Ａが最も下の位置まで下降したときには、容器部２２の上縁部２２Ａまで、第１のホルダ２と第２のホルダ（図示せず。）の前方の縁部が後方の縁部を軸として下降する。
よって、蓋部２３も容器部２２の上縁部２２Ａまで下降し、蓋部２３を閉める。
【００６９】
また、蓋部２３の周縁部２３Ａの容器部２２に面する側には凹部２３Ｂが形成されており、容器部２２の上縁部２２Ａが凹部２３Ｂに嵌り込むことができるようになっている。
容器部２２の上縁部２２Ａが凹部２３Ｂに嵌り込むことで、容器部２２は密封される。
【００７０】
なお、蓋部２３が第１のホルダ２と第２のホルダ３に挟持された状態では、容器部２２の上縁部２２Ａは凹部２３Ｂに嵌り込めない。従って、この場合、蓋部２３を閉めた状態とは、単に、容器部２２の上縁部２２Ａ上に乗った状態である。
【００７１】
また、図６に示すように、第１のホルダ２の第１の屈曲部２Ｃは、凹部２３Ｂ内に位置する。
また、図６に示すように、第２のホルダ３の第２の屈曲部３Ｂは、断面形状が略Ｕ字形なので、第２の屈曲部３Ｂの内側の直角部と、蓋部２３の周縁部２３Ａの角部とが合致する。
【００７２】
なお、図５には、蓋部２３の四方の周縁部２３Ａのうち、ペダル部４Ｂの踏板４ＢＢが向く方向とは反対方向に位置する後方の縁部２３Ａを軸として、蓋部２３が揺動する例を示している。
しかし、例えば、ペダル部４Ｂの踏板４ＢＢが向く方向に対して略９０度の方向に位置する、左方もしくは右方の縁部２３Ａを軸として、蓋部２３が揺動するようにしてもよいことは勿論である。
【００７３】
図７（ａ）は、本発明を適用した収容具の第３の形態の第１のホルダおよび第２のホルダが蓋部を挟持した状態の一例を示す概略拡大図であり、図７（ｂ）は、挟持を解除した状態の一例を示す概略拡大図である。
【００７４】
図７（ａ）および図７（ｂ）に示す第１のホルダ２４は、金属製で板状である。
また、図７（ａ）および図７（ｂ）に示す第２のホルダ２５は、断面形状が略Ｌ字形の金属製のブロック体である。
【００７５】
また、第２のホルダ２５は、第１のホルダ２４と対向して配置され、第１のホルダ２４に第１のホルダ２４との対向距離が変動可能にヒンジ２６で取付けられている。
また、ヒンジ２６には、板バネ２７が取付けられている。板バネ２７は、第２のホルダ２５を第１のホルダ２４に向けて付勢する。
また、第２のホルダ２５には、レバー２８が取付けられている。
【００７６】
また、第２のホルダ２５は、板バネ２７によって第１のホルダ２４に向けて付勢されているので、図７（ａ）に示すように、第１のホルダ２４と第２のホルダ２５は蓋部２３の縁部２３Ａを挟持する。
このとき、第２のホルダ２５は、断面形状が略Ｌ字形なので、第２のホルダ２５の内側の直角部と蓋部２３の周縁部２３Ａの角部とが合致する。
【００７７】
また、第１のホルダ２４は、支持片２９に取付けられている。また、支持片２９は、第二軸１７を軸として、ホルダ支持部１６に揺動可能に取付けられている。
従って、第１のホルダ２４、および第１のホルダ２４に取付けられた第２のホルダ２５は、第二軸１７を軸として揺動する。
【００７８】
また、第１のホルダ２４の先端縁部は分岐している。図７（ａ）および図７（ｂ）に示すように、第１のホルダ２４の分岐した先端縁部の一方は、凹部２３Ｂ内に位置しており、第１のホルダ２４の分岐した先端縁部の他方は、周縁部２３Ａの外側に位置する。
【００７９】
また、第２のホルダ２５に取付けられたレバー２８を掴んで持上げることによって、図７（ｂ）に示すように、第２のホルダ２５が、第１のホルダ２４の先端縁部や蓋部２３から離される。従って、蓋部２３を外すことや、新たな容器部の蓋部を持ってくることができる。
そして、板バネ２７が第２のホルダ２５を第１のホルダ２４に向けて付勢しているので、レバー２８を離すと、第２のホルダ２５が第１のホルダ２４の先端縁部に向けて移動する。
【００８０】
以上のように、本発明の持上器は、第１の挟持部および第２の挟持部それぞれの少なくとも一部を昇降させる昇降部によって、蓋の縁部を挟んだ第１の挟持部および第２の挟持部を昇降させることができる。
従って、本発明の持上器は、着脱可能な蓋を持上げることができる。
【００８１】
また、本発明の収容具も、第１の挟持部および第２の挟持部それぞれの少なくとも一部を昇降させる昇降部によって、蓋部の少なくとも一部を挟んだ第１の挟持部および第２の挟持部を昇降させることができる。
また、容器部を着脱可能に支持する支持部によって、容器部を支持部に支持させたり、支持部から離したりすることができる。
【００８２】
従って、本発明の収容具は、蓋を容易に開けることができ、蓋で密封される容器の着脱が可能である。
【符号の説明】
【００８３】
１      持上器
１Ａ    収容具
２      第１のホルダ
２Ａ    中央突出片
２Ｂ    第１の左右突出片
２Ｃ    第１の屈曲部
３      第２のホルダ
３Ａ    第２の左右突出片
３Ｂ    第２の屈曲部
４      昇降部
４Ａ    昇降棒
４Ｂ    ペダル部
４ＢＡ  レバー
４ＢＢ  踏板
４ＢＣ  軸支台
４ＢＤ  第一軸
５      前方脚部
６      後方脚部
７      連結部
８      第１の前方枠部
９      第２の前方枠部
１０      容器ガイド部
１０Ａ    開口領域
１１      第１の背部
１２      第２の背部
１３      ダンパー部
１４      第１の容器支持部
１５      第２の容器支持部
１６      ホルダ支持部
１６Ａ    前後の壁板
１６Ｂ    左右の壁板
１７      第二軸
１８      第三軸
１９      ネジボルト
２０      第１のホルダ
２０Ａ    第１の分岐片
２１      第２のホルダ
２１Ａ    第２の分岐片
２２      容器部
２２Ａ    上縁部
２３      蓋部
２３Ａ    周縁部
２３Ｂ    凹部
２４      第１のホルダ
２５      第２のホルダ
２６      ヒンジ
２７      板バネ
２８      レバー
２９      支持片
【図１】
2014136635.tif 000003
【図２】
2014136635.tif 000004
【図３】
2014136635.tif 000005
【図４】
2014136635.tif 000006
【図５】
2014136635.tif 000007
【図６】
2014136635.tif 000008
【図７】
2014136635.tif 000009
【図８】
2014136635.tif 000010